(57)【要約】  本発明は、基地局（ＢＳ）と無線端末（ＵＥ）との間での通信時に、上り方向の通信レートが下り方向の通信レートよりも小さくなるような状況において、ＵＥ（１）のバッファがオーバーフローを起こさないようにしたもので、このために、少なくとも１つのＢＳ（３０）からの下りデータチャネル（HS-PDSCH）を受信し、当該下りデータチャネル（HS-PDSCH）に関する受信品質情報（ＣＱＩ）を算出して前記ＢＳ（３０）へ報告するＵＥ（１）の通信制御方法であって、ＵＥ（１）が、ＢＳ（３０）への上りデータチャネル（E-DCH）の送信レートを監視し、その監視結果に応じて、算出された受信品質情報（ＣＱＩ）を低下制御する。
2008111144.tif 000002
【特許請求の範囲】
【請求項１】
少なくとも１つの無線基地局からの下りデータチャネルを受信し、当該下りデータチャネルに関する受信品質情報を算出して前記無線基地局へ報告する無線端末の通信制御方法であって、
前記無線端末は、
前記無線基地局への上りデータチャネルの送信レートを監視し、
前記監視結果に応じて、前記算出した受信品質情報を低下制御する
ことを特徴とする、無線端末の通信制御方法。
【請求項２】
前記無線端末は、
前記監視結果と前記下りデータチャネルで受信したデータの処理状況とに基づいて、前記受信品質情報を低下制御する
ことを特徴とする、請求項１記載の無線端末の通信制御方法。
【請求項３】
前記無線端末は、
前記監視結果と前記下りデータチャネルで受信したデータの蓄積状況とに基づいて、前記受信品質情報を低下制御する
ことを特徴とする、請求項１記載の無線端末の通信制御方法。
【請求項４】
少なくとも１つの無線基地局からの下りデータチャネルを受信し、当該下りデータチャネルに関する受信品質情報を算出して前記無線基地局へ報告する無線端末であって、
前記無線基地局への上りデータチャネルの送信レートを監視する監視手段と、
前記監視手段での監視結果に応じて、前記算出した受信品質情報を低下制御する受信品質情報制御手段と
をそなえたことを特徴とする、無線端末。
【請求項５】
前記受信品質情報制御手段は、
前記上りデータチャネルの送信レートと前記低下制御に応じた受信品質情報とを対応付けたテーブルをそなえ、
前記監視結果に対応する受信品質情報を前記テーブルから取得して前記低下制御を行なう
ことを特徴とする、請求項４記載の無線端末。
【請求項６】
前記受信品質情報制御手段は、
前記下りデータチャネルで受信したデータの処理状況を監視するデータ処理状況監視部をそなえ、
前記監視手段での監視結果と前記データ処理状況監視部でのデータ処理状況監視結果とに基づいて、前記受信品質情報を低下制御する
ことを特徴とする、請求項４または５記載の無線端末。
【請求項７】
前記受信品質情報制御手段は、
前記下りデータチャネルで受信したデータの蓄積状況を監視するデータ蓄積状況監視部をそなえ、
前記監視手段での監視結果と前記データ蓄積状況監視部でのデータ蓄積状況監視結果とに基づいて、前記受信品質情報を低下制御する
ことを特徴とする、請求項４または５記載の無線端末。
【発明の詳細な説明】
【技術分野】
【０００１】
本発明は、無線端末の通信制御方法及び無線端末に関し、例えばW-CDMA（Wideband-Code Division Multiple Access）方式の無線による通信を行なう無線通信システムに用いて好適な技術に関する。
【背景技術】
【０００２】
W-CDMA方式は、IMT-2000（International Mobile Telecommunications-2000）で定められた無線通信インタフェースの１つであり、代表的な無線通信方式に位置づけられている。
W-CDMA方式は、最大３８４ｋｂｐｓの伝送速度により、音声、動画像、データ等のマルチメディアアクセスを可能にしている。【０００３】
また、近年になってW-CDMA方式の技術をベースにしたHSDPA（High Speed Downlink Packet Access）及びHSUPA（High Speed Uplink Packet Access）と呼ばれる無線通信方式の研究、開発が進められている。
現行のW-CDMA方式に対して、HSDPAは、基地局（ＢＳ：Base Station）から端末（ＵＥ：User Equipment）への方向である下り方向への高速なダウンリンクパケット伝送を行なうための技術であり、HSUPAは、その逆方向である上り方向への高速なアップリンクパケット伝送を行なうための技術である。HSDPAは３ＧＰＰリリース５（3rd Generation Partnership Project Release 5）で、HSUPAは３ＧＰＰリリース６でそれぞれ標準化が行なわれている。【０００４】
図５はW-CDMAの通信を示す概念図で、この図５に示すように、基地局（ＢＳ）１００と１又は複数の端末（ＵＥ）２００との間で、W-CDMA方式による無線通信が行なわれる。
そして、上りリンクでは、ユーザ情報を伝送するチャネルであるDPDCH（Dedicated Physical Data Channel）と、制御情報を伝送するチャネルであるDPCCH（Dedicated Physical Control Channel）とが、それぞれ、ＱＰＳＫ（Quadrature Phase Shift Keying）変調の同相成分（Ｉ軸）と直交成分（Ｑ軸）にマッピングされてＢＳ１００へ送信される（実線矢印Ａ１参照）。【０００５】
また、下りリンクでは、DPDCHとDPCCHとは、時分割多重されてＵＥ２００へ送信される（点線矢印Ａ２参照）。なお、これらのリンクは、ＵＥ２００毎に個別に割り当てられる個別チャネルであり、他のＵＥ２００とは排他的な伝送が行なわれる。
次に、図６にHSDPAの通信概念を示す。この図６に示すように、ＢＳ１００からＵＥ２００への下り伝送時にHSDPAによる通信を行なう。【０００６】
即ち、ＵＥ２００は、それぞれ、ＢＳ１００からパイロットチャネル（CPICH：Common Pilot Channel）により送信されるパイロット信号（ＢＳ１００とＵＥ２００との間で既知の信号）（符号Ａ５参照）を受信して、ＵＥ２００毎に、当該パイロット信号を基に下りリンクの伝搬環境、即ち、受信品質（受信電界強度：ＳＩＲ）を測定し、その測定結果を基に下りリンクの受信品質情報たるＣＱＩ（Channel Quality Indicator）報告値を算出し、当該ＣＱＩ報告値をHS-DPCCH（High Speed Dedicated Physical Control Channel）によりＢＳ１００へ通知する（実線矢印Ａ３参照）。【０００７】
ＢＳ１００は、ＵＥ２００から通知された下りリンクの受信品質情報（ＣＱＩ報告値）に基づいて、伝搬環境の良好な、予め決めた台数分のＵＥ２００を優先的に選択するスケジューリングを行なう。このスケジューリングによって、或るＵＥ２００が選択されたとすると、ＢＳ１００は、当該ＵＥ２００へスケジューリング情報（変調の種類や伝送量等が含まれる）をHS-SCCH（High Speed Shared Control Channel）により通知する（点線矢印Ａ４参照）。そして、ＵＥ２００は、受信したスケジューリング情報に基づいて、自端末２００の機能を設定する。【０００８】
その後、ＢＳ１００は、ＵＥ２００へユーザ情報をHS-PDSCH（High Speed Physical Downlink Shared Channel）と呼ばれる無線チャネルで伝送する（点線矢印Ａ４参照）。このユーザ情報を伝送するHS-PDSCHは、各ＵＥ２００が使用できる共通チャネルであり、時分割した１つのタイムスロットを、１つのＵＥ２００又は複数のＵＥ２００がシェアして使用するもので、最大１４．４Ｍｂｐｓの高速下りアクセスを可能にする。【０００９】
次に、図７にHSUPAの通信概念を示す。この図７に示すように、ＵＥ２００からＢＳ２００への上り伝送時にHSUPAによる通信を行なう。
即ち、ＵＥ２００は、ＢＳ１００へ上りデータ伝送要求としてＳＩ（Scheduling Information）を送信する（実線矢印Ａ６参照）。
ＢＳ１００は、ＵＥ２００から送られてきた複数のＳＩを集計し、ＵＥ２００の通信品質や上りデータの優先度等に基づいて、上り伝送を行なうＵＥ２００の送信タイミングを決めるスケジューリングを行ない、ＵＥ２００へ上り伝送許可として“Grant”を送信する（点線矢印Ａ７参照）。なお、“Grant”には、“absolute grant”と“relative grant”の２種類があり、“absolute grant”は、一定間隔を置いて上り伝送レートなどを通知するのに用いられ、“relative grant”は、“absolute grant”で通知した内容の更新情報を通知するのに用いられる。【００１０】
ＵＥ２００は、ＢＳ１００からの“Grant”を受信することにより上り伝送を許可された端末２００から順番に、E-DCH（Enhanced Dedicated Channel）と呼ばれる個別チャネルによって、ユーザ情報をＢＳ１００へ伝送する（実線矢印Ａ８参照）ことで、高速上りアクセスを可能にする。なお、E-DCHの伝送速度は、およそ２〜５Ｍｂｐｓとなることが検討されている。【００１１】
HSDPAでは、適応符号化変調方式を採用しており、例えば、ＱＰＳＫ変調方式と１６値ＱＡＭ変調方式とをＢＳ１００とＵＥ２００との間の無線環境に応じて適応的に切り替えることを特徴としている。また、上記適応変調方式を実現するために、ＵＥ２００がＢＳ１００に対して受信環境を報告するための前記ＣＱＩ報告値が定義されており、ＣＱＩテーブルには例えばＣＱＩ＝１〜３０に応じて伝送速度の異なるフォーマットが定義されている。【００１２】
そして、ＵＥ２００は、受信環境を測定し、その環境下でＣＱＩ報告値を送信する１スロット前以内から３スロット間でHS-PDSCHを受信したと仮定した場合に、HS-PDSCHのBLER（Block Error Rate）＝０．１を超えない最大のＣＱＩ報告値をＢＳ１００に報告することを基本とする。
ここで、図８にＣＱＩテーブルの一例を示す。この図８に示すように、ＵＥ２００からのＣＱＩ報告値にはそれぞれ下りデータの伝送ブロックサイズが対応付けられており、ＢＳ１００はＵＥ２００からのＣＱＩ報告値に基づいて、下りデータの伝送ブロックサイズ及び下り伝送フォーマットを決定する。【００１３】
一方、HSUPAでは、ＢＳ１００が自局配下のトータルの上り干渉量（受信電力）を監視し、受信電力を閾値と比較することにより、上り送信要求のあるＵＥ２００に対して、E-AGCH（最大レートの絶対値指定コマンド）を用いて絶対値でＵＥ２００に送信レートを指示し、あるいは、E-RGCH（最大レートの相対値指定コマンド）を用いて、送信レートの増加、維持、減少を指示する。ＵＥ２００は、上り送信データがある場合、ＢＳ１００にＳＩ（スケジューリング要求）を送信する。【００１４】
なお、HSUPAを含むW-CDMAにおけるスケジューリング制御方法に関する技術として、下記特許文献１〜３に記載された技術がある。
下記特許文献１には、無線基地局が、移動局から受信した下りのＣＱＩ報告値に応じて移動局へ許可する上りパケットレートの上限を設定して割り当てることが開示されており、下記特許文献２には、基地局が、移動端末を推定されたバッファ占有に基づいて、アップリンク伝送のために現在使用されているスケジューリングモードから他のスケジューリングモードへ切替えることが開示されている。また、下記特許文献３には、基地局が、全ユーザー端末の状態を表すある第二の指標を共通チャネルを用いてブロードキャストすることで上りリンクの使用効率を向上させることが開示されている。
【特許文献１】特開２００６−１４０６３５号公報
【特許文献２】特開２００６−６０７８９号公報
【特許文献３】特開２００６−８７１００号公報
【発明の開示】
【発明が解決しようとする課題】
【００１５】
次に、図９に、上記ＳＩ（スケジューリング要求）の送信機能を具備するＵＥ２００の要部構成例を示す。この図９に示すＵＥ２００は、例えば、受信機２０１，HS-SCCH復調処理部２０２，HS-SCCH復号処理部２０３，HS-PDSCH復調処理部２０４，E-HICH復調処理部２０５，E-HICH復号処理部２０６，ＣＱＩ報告値算出部２０７，HS-PDSCH復号処理部２０８，HS-PDSCH CRC演算部２０９，下りレイヤ２（Ｌ２）データ処理部２１０，レイヤ２（Ｌ２）データバッファ処理部２１１，上りレイヤ２（Ｌ２）データ処理部２１２，E-DCH再送制御処理部２１３，ＣＱＩ／ＡＣＫ／ＮＡＣＫスケジューリング処理部２１４，HS-DPCCH符号化処理部２１５，HS-DPCCH変調処理部２１６，上りスケジューリング要求処理部２１７，E-DCH符号化処理部２１８，E-DCH変調処理部２１９，送信機２２０，下り受信タイミング監視／上り送信タイミング管理部２２１及びバッファ２２２をそなえて構成されている。【００１６】
かかる構成を有するＵＥ２００では、受信アンテナ（図示省略）で受信された信号が受信機２０１に入力され、当該受信機２０１において、パス検出や逆拡散処理等が行なわれて、CPICH、E-HICH（Enhanced Hybrid ARQ Indicator Channel）、HS-SCCH、HS-PDSCHの各チャネルが分離される。なお、E-HICHは、上り送信データについての送達確認結果情報（ＡＣＫあるいはＮＡＣＫ）をＢＳ１００からＵＥ２００へ伝送するのに用いられるチャネルである。【００１７】
そのうちのCPICH（パイロット信号）は、ＣＱＩ報告値算出部２０７に入力されてＣＱＩ報告値の算出に用いられる。即ち、当該受信パイロット信号を基に下りリンクの受信ＳＩＲが測定され、その測定結果を基に下りリンクのＣＱＩ報告値が算出される。当該ＣＱＩ報告値は、ＣＱＩ／ＡＣＫ／ＮＡＣＫスケジューリング処理部（以下、単に「スケジューラ」ともいう）２１４，HS-DPCCH符号化処理部２１５，HS-DPCCH変調処理部２１６及び送信機２２０を経由することにより、符号化処理、変調処理及び無線送信処理を施されて、HS-DPCCHによりＢＳ１００へ通知される。なお、受信パイロット信号は、E-HICH、HS-SCCH及びHS-PDSCHのチャネル推定値を求めるのにも用いられる。【００１８】
また、受信機２０１で分離されたHS-SCCHは、HS-SCCH復調処理部２０２にて、前記受信パイロット信号に基づいて得られるチャネル推定値を用いてチャネル補償された上で復調され、HS-SCCH復号処理部２０３にて復号される。その復号結果は、HS-PDSCHの復号に必要な情報（符号化方式、符号化率など）を含むためHS-PDSCH復号処理部２０８に入力される。【００１９】
また、受信機２０１で分離されたHS-PDSCHは、HS-PDSCH復調処理部２０４にて、チャネル推定値を用いてチャネル補償された上で復調され、さらに、HS-PDSCH復号処理部２０８にて、HS-SCCH復号処理部２０３からの前記復号結果を用いて復号され、HS-PDSCH CRC演算部２０９にて、ＣＲＣ演算されてエラーチェックされる。
その結果、エラーの無い（ＣＲＣ演算結果がＯＫである）復号データは、下りのレイヤ２の受信データとして下りＬ２データ処理部２１０に入力されて、所要のＬ２のデータ処理を施される。また、上記ＣＲＣ演算結果は、スケジューラ２１４に入力され、ＣＲＣ演算結果がＯＫであればＡＣＫ情報が、ＮＧであればＮＡＣＫ情報がそれぞれ前記ＣＱＩ報告値とともにスケジューリングされて、HS-DPCCH符号化処理部２１５，HS-DPCCH変調処理部２１６及び送信機２２０を経由することにより、符号化処理、変調処理及び無線送信処理を施されて、HS-DPCCHによりＢＳ１００へ通知される。【００２０】
また、受信機２０１で分離されたE-HICHは、E-HICH復調処理部２０５にて、チャネル推定値を用いてチャネル補償された上で復調され、さらに、E-HICH復号処理部２０６にて復号される。ここで、ＢＳ１００側でエラーが無いと判定された上り送信データに対しては、ＡＣＫが復号され、また、ＢＳ１００側でエラーがあると判定された上り送信データに対しては、ＮＡＣＫが復号されて、E-DCH再送制御処理部２１３に入力される。そして、E-DCH再送制御処理部２１３により、ＮＡＣＫが復号された分の上り送信データについて、所定の再送制御処理が行なわれて、後述のように、上りスケジューリング要求処理部２１７，E-DCH符号化処理部２１８，E-DCH変調処理部２１９及び送信機２２０を経由することにより、上りスケジューリング処理、符号化処理、変調処理及び無線送信処理を施されて、E-DCHによりＢＳ１００へ送信される。【００２１】
下りＬ２データ処理部２１０にて所要のＬ２データ処理を施された下り受信データの少なくとも一部については、Ｌ２データバッファ処理部２１１及びバッファ２２２により所定のバッファ処理を施され、上りＬ２データ処理部２１２へ入力される。
一方、上りリンクについては、上りＬ２データ処理部２１２にて、ＢＳ１００へ送信すべき上りＬ２データが存在すると、上記再送分の上り送信データとともに、上りスケジューリング要求処理部２１７に入力され、E-DCH符号化処理部２１８，E-DCH変調処理部２１９及び送信機２２０を経由することにより、符号化処理、変調処理及び無線送信処理を施されて、E-DCHによりＢＳ１００へ送信される。【００２２】
即ち、下りＬ２データ処理部２１０からの下り受信データの少なくとも一部，上りＬ２データ処理部２１２からの上りＬ２データ及び再送分の上り送信データの少なくともいずれか１つが、E-DCHによりＢＳ１００へと送信される。また、上りスケジューリング要求処理部２１７にて、上りＳＩが生成され、E-DCH符号化処理部２１８，E-DCH変調処理部２１９及び送信機２２０を経由することにより、符号化処理、変調処理及び無線送信処理を施されて、E-DCHによりＢＳ１００へ送信される。【００２３】
なお、送信機２２０によるHS-DPCCH及びE-DCHの送信タイミングは、下り受信タイミング監視／上り送信タイミング管理部（以下、単に「タイミング管理部」ともいう）２２１からの送信タイミング信号に基づいて管理される。即ち、タイミング管理部２２１は、受信機２０１でのフレーム同期処理により特定される受信タイミング（フレームタイミング）を基に、HS-DPCCH及びE-DCHの送信タイミング（送信スロット）を管理し、当該送信タイミングに従って送信機２２０による送信タイミングが規定のタイミングとなるように制御するのである。【００２４】
ところで、上述のように、HS-PDSCHにて受信した下りデータに所要のＬ２データ処理が施され、その少なくとも一部がE-DCHにより、例えばリアルタイムでＢＳ１００へ送信される場合、下り方向（即ち、ＢＳ１００からＵＥ２００へのデータ伝送方向）の通信環境と上り方向（即ち、ＵＥ２００からＢＳ１００へのデータ伝送方向）の通信環境との違いや、ＢＳ１００でのスケジューリング処理などにより、上り方向の通信レートと下り方向の通信レートとが異なることがある。このため、ＵＥ２００は、Ｌ２データバッファ処理部２１１により、上りデータをバッファ２２２に蓄積することで、上記通信レートの差を吸収できるようになっている。【００２５】
ところが、例えば、ＢＳ１００でのHSUPAスケジューリング処理などにより、上り方向の通信レートが下り方向の通信レートよりも低くなった場合、前記バッファ２２２へのデータ蓄積処理（バッファ処理）が追いつかず、バッファ２２２がオーバーフローしてしまい、データ通信処理を正常に行なえなくなるおそれがある。
このような課題及びその解決手段に関して、上記特許文献１〜３には、開示も示唆もない。【００２６】
本発明は、以上のような課題に鑑み創案されたもので、無線基地局と無線端末との間の上り方向の通信レートが下り方向の通信レートよりも小さくなるような状況であっても、正常な通信を継続できるようにすることを目的とする。
【課題を解決するための手段】
【００２７】
上記の目的を達成するため、本発明では、下記の無線端末の通信制御方法及び無線端末を用いることを特徴としている。
（１）本発明の無線端末の通信制御方法は、少なくとも１つの無線基地局からの下りデータチャネルを受信し、当該下りデータチャネルに関する受信品質情報を算出して前記無線基地局へ報告する無線端末の通信制御方法であって、前記無線端末は、前記無線基地局への上りデータチャネルの送信レートを監視し、その監視結果に応じて、前記算出した受信品質情報を低下制御することを特徴としている。【００２８】
（２）ここで、前記無線端末は、前記監視結果と前記下りデータチャネルで受信したデータの処理状況とに基づいて、前記受信品質情報を低下制御するようにしてもよい。
（３）さらに、前記無線端末は、前記監視結果と前記下りデータチャネルで受信したデータの蓄積状況とに基づいて、前記受信品質情報を低下制御するようにしてもよい。
（４）また、本発明の無線端末は、少なくとも１つの無線基地局からの下りデータチャネルを受信し、当該下りデータチャネルに関する受信品質情報を算出して前記無線基地局へ報告する無線端末であって、前記無線基地局への上りデータチャネルの送信レートを監視する監視手段と、その監視手段での監視結果に応じて、前記算出した受信品質情報を低下制御する受信品質情報制御手段とをそなえたことを特徴としている。【００２９】
（５）ここで、前記受信品質情報制御手段は、前記上りデータチャネルの送信レートと前記低下制御に応じた受信品質情報とを対応付けたテーブルをそなえ、前記監視結果に対応する受信品質情報を前記テーブルから取得して低下制御を行なうようにしてもよい。
（６）また、前記受信品質情報制御手段は、前記下りデータチャネルで受信したデータの処理状況を監視するデータ処理状況監視部をそなえ、前記監視手段での監視結果と前記データ処理状況監視部でのデータ処理状況監視結果とに基づいて、前記受信品質情報を低下制御するようにしてもよい。【００３０】
（７）さらに、前記受信品質情報制御手段は、前記下りデータチャネルで受信したデータの蓄積状況を監視するデータ蓄積状況監視部をそなえ、前記監視手段での監視結果と前記データ蓄積状況監視部でのデータ蓄積状況監視結果とに基づいて、前記受信品質情報を低下制御するようにしてもよい。
【発明の効果】
【００３１】
上記本発明によれば、少なくとも次のいずれかの効果ないし利点が得られる。
（１）無線端末は、上りデータチャネルの送信レートに応じて、算出した受信品質情報（本来、無線基地局へ報告すべき受信品質情報）を低下制御するので、無線基地局に下りデータチャネルの送信レートを下げさせることができる。したがって、上りと下りのデータチャネルの通信レートの相違を無線端末において吸収しきれずに正常な通信を継続できなくなることを防ぐことができ、結果として、無線通信システム全体のスループットを向上させることができる。【００３２】
（２）また、前記監視結果と前記下りデータチャネルで受信したデータの処理状況とに基づいて、前記受信品質情報を低下制御することができるので、効率的かつ確実に、無線基地局との正常な通信を維持することが可能となる。
（３）さらに、前記監視結果と前記下りデータチャネルで受信したデータの蓄積状況とに基づいて、前記受信品質情報を制御することもできるので、無線端末での受信データのバッファオーバーフローを確実に防止して、無線基地局との正常な通信を維持することが可能となる。【００３３】
（４）また、無線端末に、前記上りデータチャネルの送信レートと前記低下制御に応じた受信品質情報とを対応付けたテーブルをそなえて、前記監視結果に対応する受信品質情報を当該テーブルから取得して前記低下制御を行なうようにすれば、上記受信品質情報の低下制御を単純化することができ、前記無線端末の回路規模、消費電力を抑制しつつ、前記低下制御の高速化を図ることが可能となる。
【図面の簡単な説明】
【００３４】
【図１】本発明の一実施形態に係る無線端末（ＵＥ）の要部の構成を示すブロック図である。
【図２】図１に示すＵＥの第１変形例を示すブロック図である。
【図３】図１に示すＵＥの第２変形例を示すブロック図である。
【図４】図１〜図３に示すＵＥで用いるE-DCH通信レートとＣＱＩ値とを対応付けたE-DCH通信レート／ＣＱＩ変換テーブルの一例を示す図である。
【図５】W-CDMAの通信を示す概念図である。
【図６】HSDPAの通信を示す概念図である。
【図７】HSUPAの通信を示す概念図である。
【図８】ＣＱＩテーブルの一例を示す図である。
【図９】HSUPA通信におけるＳＩ（スケジューリング要求）の送信機能を具備するＵＥの要部構成例を示すブロック図である。
【符号の説明】
【００３５】
１，１ａ，１ｂ  無線端末（ＵＥ）
２  受信機
３  HS-SCCH復調処理部
４  HS-SCCH復号処理部
５  HS-PDSCH復調処理部
６  HS-PDSCH復号処理部
７  E-HICH復調処理部
８  E-HICH復号処理部
９  CQI報告値算出部
１０  HS-PDSCH CRC演算部
１１  下りＬ２データ処理部
１２  Ｌ２データバッファ処理部
１３  バッファ
１４  上りＬ２データ処理部
１５  E-DCH再送制御処理部
１６  E-DCH通信レート測定部（監視手段）
１７，１７ａ，１７ｂ  ＣＱＩ制御部（受信品質情報制御手段）
１７１  E-DCH通信レート／ＣＱＩ変換テーブル
１８  ＣＱＩ／ＡＣＫ／ＮＡＣＫスケジューリング処理部
１９  HS-DPCCH符号化処理部
２０  HS-DPCCH変調処理部
２１  上りスケジューリング要求処理部
２２  E-DCH符号化処理部
２３  E-DCH変調処理部
２４  下り受信タイミング監視／上り送信タイミング管理部
２５  送信機
２６  Ｌ２データ処理状況監視部（データ処理状況監視部）
２７  Ｌ２データバッファ処理監視部（データ蓄積状況監視部）
３０  基地局（ＢＳ）
【発明を実施するための最良の形態】
【００３６】
以下、図面を参照して本発明の実施の形態を説明する。ただし、本発明は、以下に説明する実施形態に限定されず、本発明の趣旨を逸脱しない範囲で種々変形して実施できることはいうまでもない。
〔Ａ〕一実施形態の説明
図１は本発明の一実施形態に係る無線端末（ＵＥ）の要部の構成を示すブロック図である。この図１に示すＵＥ１は、少なくとも１つの無線基地局（ＢＳ）３０からのHS-PDSCH（下りデータチャネル）を受信し、当該HS-PDSCHに関するＣＱＩ報告値を算出してＢＳ３０へ報告する機能を具備しており、例えば、受信機２，HS-SCCH復調処理部３，HS-SCCH復号処理部４，HS-PDSCH復調処理部５，HS-PDSCH復号処理部６，E-HICH復調処理部７，E-HICH復号処理部８，ＣＱＩ報告値算出部９，HS-PDSCH CRC演算部１０，下りレイヤ２（Ｌ２）データ処理部１１，レイヤ２（Ｌ２）データバッファ処理部１２，バッファ１３，上りレイヤ２（Ｌ２）データ処理部１４，E-DCH再送制御処理部１５，E-DCH通信レート測定部１６，ＣＱＩ制御部１７，ＣＱＩ／ＡＣＫ／ＮＡＣＫスケジューリング処理部１８，HS-DPCCH符号化処理部１９，HS-DPCCH変調処理部２０，上りスケジューリング要求処理部２１，E-DCH符号化処理部２２，E-DCH変調処理部２３，下り受信タイミング監視／上り送信タイミング管理部２４及び送信機２５をそなえて構成されている。【００３７】
つまり、本実施形態のＵＥ１は、図９により既述のＵＥ２００が有する各部２０１〜２２２に加えて、E-DCH通信レート測定部１６及びＣＱＩ制御部１７を新たにそなえて構成されている。
即ち、受信機２は、受信アンテナ（図示省略）で受信した信号を受けて、パス検出や逆拡散処理等を行なうとともに、CPICH、E-HICH、HS-SCCH、HS-PDSCHの各チャネルを分離するものである。【００３８】
また、ＣＱＩ報告値算出部９は、受信機２で分離されたCPICH（パイロット信号）に基づいてＣＱＩ報告値の算出を行なうもので、当該受信パイロット信号に基づいて下りリンクの受信ＳＩＲを測定し、その測定結果を基に下りリンクのＣＱＩ報告値を算出する機能を具備している。
ＣＱＩ報告値算出部９で算出されたＣＱＩ報告値は、ＣＱＩ制御部１７に入力され、後述するテーブル変換処理を受け、ＣＱＩ制御値として、ＣＱＩ／ＡＣＫ／ＮＡＣＫスケジューリング処理部（以下、単に「スケジューラ」ともいう）１８，HS-DPCCH符号化処理部１９，HS-DPCCH変調処理部２０及び送信機２５を経由することにより、符号化処理、変調処理及び無線送信処理を施されて、HS-DPCCHによりＢＳ３０へ通知される。なお、前記受信パイロット信号は、HS-SCCH及びHS-PDSCHのチャネル推定値を求めるのにも用いられる。【００３９】
HS-SCCH復調処理部３は、受信機２で分離されたHS-SCCHについて、前記受信パイロット信号に基づいて得られるチャネル推定値を用いてチャネル補償した上で復調するもので、HS-SCCH復号処理部４は、HS-SCCH復調処理部３からのHS-SCCHを復号するものである。HS-SCCH復号処理部４での復号処理の結果は、HS-PDSCHの復号に必要な情報（符号化方式、符号化率など）を含むためHS-PDSCH復号処理部６に入力される。【００４０】
HS-PDSCH復調処理部５は、受信機２で分離されたHS-PDSCHについて、チャネル推定値を用いてチャネル補償した上で復調するものであり、HS-PDSCH復号処理部６は、HS-SCCH復号処理部４からの前記復号処理結果を用いて復号し、その結果をHS-PDSCH CRC演算部１０へ入力するものである。
HS-PDSCH CRC演算部１０は、HS-PDSCH復号処理部６からの復号処理結果について、ＣＲＣ演算を実行し、エラーチェックを行なう機能を具備するものである。その結果、エラーの無い（ＣＲＣ演算結果がＯＫである）復号データは、下りのレイヤ２の受信データとして下りＬ２データ処理部１１に入力される。なお、上記ＣＲＣ演算結果としての受信（送達）結果確認情報（ＡＣＫあるいはＮＡＣＫ）は、スケジューラ１８に入力される。【００４１】
下りＬ２データ処理部１１は、HS-PDSCH CRC演算部１０におけるエラーチェックによりエラーが無い（ＣＲＣ演算結果がＯＫである）とされた復号データについて、所要のＬ２のデータ処理を施すものである。
Ｌ２データバッファ処理部１２は、下りＬ２データ処理部１１からの下り受信データのバッファ１３への蓄積（バッファ処理）を制御するものであり、バッファ１３は、当該バッファ処理部１２の制御の下、前記下り受信データを蓄積するもので、例えば、専用あるいは共用のメモリなどにより構成される。つまり、ＵＥ１は、ＢＳ３０からの下り受信データをバッファ１３に一時的に蓄積することにより、ＵＥ１とＢＳ３０との間の上りと下りの通信レート差を吸収し、前記下りデータの受信に伴ってＢＳ３０へ送信すべき上りデータの送信処理を確実に行なえるようになっている。【００４２】
また、E-HICH復調処理部７は、受信機２で分離されたE-HICHについて、チャネル推定値を用いてチャネル補償された上で復調するもので、また、E-HICH復号処理部８は、E-HICH復調処理部７からのHS-SCCHを復号するものである。
この復号結果は、ＢＳ３０からの、E-DCHの上り送信データに対する送達結果確認情報であり、ＢＳ３０側でエラーが無いと判定された上り送信データに対しては、送達結果確認情報として、ＡＣＫが復号され、また、ＢＳ３０側でエラーがあると判定された上り送信データに対しては、ＮＡＣＫが復号される。これらのＡＣＫ及びＮＡＣＫは、E-DCH通信レート測定部１６を経由してE-DCH再送制御処理部１５に入力される。【００４３】
E-DCH再送制御処理部１５は、上り送信データを再送制御に備えてメモリ等に保持しておき、ＮＡＣＫが復号された分の上り送信データを当該メモリから取得してE-DCHにより送信（再送）するための処理を行なうものである。
そして、E-DCH通信レート測定部１６は、例えば前記のE-DCHに関する送達結果確認情報（ＡＣＫあるいはＮＡＣＫ）の受信状態（ＡＣＫ／ＮＡＣＫ受信数）を監視することにより、E-DCHの通信レート（上り送信データレート）を測定することができるものである。つまり、E-DCH通信レート測定部１６は、ＢＳ３０への上りデータチャネルであるE-DCHの送信（通信）レートを監視する監視手段としての機能を果たすものである。なお、E-DCH通信レート測定部１６でのE-DCHの通信レート測定（監視）結果は、ＣＱＩ制御部１７に入力される。【００４４】
ＣＱＩ制御部（受信品質情報制御手段）１７は、E-DCH通信レート測定部１６での上記監視結果に応じて、ＢＳ３０へ本来報告すべきＣＱＩ報告値、即ち、ＣＱＩ報告値算出部９で算出されたＣＱＩ報告値を低下制御するものである。
このために、本例のＣＱＩ制御部１７は、例えば、E-DCHの通信レートとＢＳ３０へ報告するＣＱＩ報告値（ＣＱＩ制御値）とを対応付けた、図４に示すようなテーブル形式のデータ（E-DCH通信レート／ＣＱＩ変換テーブル１７１）を有している。この図４に示す変換テーブル１７１には、E-DCHの通信レート（ｋｂｐｓ）に対して、本来設定されるＣＱＩ報告値よりも予め低く設定されたＣＱＩ制御値（つまりは、前記低下制御に応じたＣＱＩ報告値）が格納されている。なお、当該変換テーブル１７１は、例えばＣＱＩ制御部１７内外の専用あるいは共用のメモリに予め記憶される。【００４５】
そして、ＣＱＩ制御部１７は、基本的に、E-DCH通信レート測定部１６による測定結果を基に前記変換テーブル１７１を検索して当該ＣＱＩ制御値を取得し、これを実際にＢＳ３０に報告する値として決定する。例えば、E-DCH通信レート測定部１６による測定結果（E-DCHの通信レート）が２３７９［ｋｂｐｓ］であった場合は、前記変換テーブル１７１からＣＱＩ制御値として「１９」が取得される。【００４６】
ただし、ＣＱＩ報告値算出部９で算出されたＣＱＩ報告値の方が前記変換テーブル１７１から取得されたＣＱＩ制御値よりも小さい状態が発生する場合に備えて、ＣＱＩ制御部１７は、両値を比較して小さい方（同値の場合はいずれでも可）を実際にＢＳ３０に報告するＣＱＩ値として選択、決定する。つまり、ＢＳ３０へ報告すべきＣＱＩ値として常により小さなＣＱＩ値が選択されるようにＣＱＩ低下制御を保証している。【００４７】
このように、本例のＣＱＩ制御部１７は、図４に示す変換テーブル１７１を用いて、E-DCHの通信レートに対応するＣＱＩ制御値を算出するので、ＣＱＩ制御値の算出処理を単純化でき、ＵＥ１における演算処理の高速化を図ることができる。
スケジューラ１８は、上記ＡＣＫ，ＮＡＣＫ及びＣＱＩ制御値の送信処理をスケジューリングするものである。これらの情報は、HS-DPCCH符号化処理部１９，HS-DPCCH変調処理部２０及び送信機２５を経由することにより所定の送信処理が施されて、HS-DPCCHにてＢＳ３０へ送信される。【００４８】
即ち、HS-DPCCH符号化処理部１９は、前記情報について畳み込み符号化やターボ符号化などの所定の符号化処理を施す機能を具備するものであり、HS-DPCCH変調処理部２０は、当該符号化後の情報系列をＱＰＳＫや１６ＱＡＭなどの所定の変調方式で変調する機能を具備するものである。
上りＬ２データ処理部１４は、ＢＳ３０へ送信すべき上りＬ２データを生成するとともに、所定のＬ２データ処理を施す機能を具備するものである。【００４９】
E-DCH再送制御処理部１５は、上りＬ２データ処理部１４からの上りＬ２データを再送制御に備えてメモリ等に一時的に保持しておき、E-HICH復号処理部８からE-DCHの上り送信データに対する送達結果確認情報としてＮＡＣＫが通知された場合に、該当する上りＬ２データを前記メモリから取得してE-DCHにて再送するための処理を行なうものである。したがって、上りスケジューリング要求処理部２１には、新規送信分の上りＬ２データと再送分の上りＬ２データとが入力される場合があることになる。【００５０】
上りスケジューリング要求処理部２１は、E-DCH再送制御処理部１５から上りＬ２データが入力されると（つまり、ＢＳ３０へ送信すべき上り送信データが存在すると）、上りのＳＩを生成するものであり、E-DCH符号化処理部２２は、当該上りスケジューリング要求処理部２１にて生成された上りのＳＩについて、畳み込み符号化やターボ符号化などの所定の符号化処理を施すものである。【００５１】
さらに、E-DCH変調処理部２３は、E-DCH符号化処理部２２にて符号化された上りＳＩをＱＰＳＫや１６ＱＡＭなどの所定の変調方式で変調するものである。
送信機２５は、上記のHS-DPCCH変調処理部２０及びE-DCH変調処理部２３でそれぞれ得られた変調信号について、所要送信電力への増幅や無線周波数（ＲＦ：Radio Frequency）への周波数変換（アップコンバート）などの所定の無線送信処理を施すものである。【００５２】
したがって、上りスケジューリング要求処理部２１にて生成された上りＳＩは、E-DCH符号化処理部２２，E-DCH変調処理部２３及び送信機２５を経由することにより、所要の符号化処理、変調処理及び無線送信処理を施されて、E-DCHによりＢＳ３０へ送信され、これに対する応答としてＢＳ３０から上り伝送許可（“Grant”）を受信することにより、ＵＥ１はE-DCHによる上り送信データの送信を開始することになる。【００５３】
下り受信タイミング監視／上り送信タイミング管理部（以下、単に「タイミング管理部」ともいう）２４は、送信機２５によるHS-DPCCH及びE-DCHの送信タイミングを制御する送信タイミング信号を生成するものである。つまり、タイミング管理部２４は、受信機２でのフレーム同期処理により特定される受信タイミング（フレームタイミング）に基づいて、HS-DPCCH及びE-DCHの送信タイミング（送信スロット）を管理し、当該送信タイミングに従って送信機２５による送信タイミングが規定のタイミングとなるように制御する。【００５４】
本発明の一実施形態に係るＵＥ１は、上述のごとく構成されることにより、受信アンテナ（図示省略）で受信された信号が受信機２に入力され、当該受信機２において、パス検出や逆拡散処理等が行なわれて、CPICH、E-HICH、HS-SCCH、HS-PDSCHの各チャネルが分離される。そのうちのCPICH（パイロット信号）は、ＣＱＩ報告値算出部９に入力されてＣＱＩ報告値が算出され、ＣＱＩ制御部１７に入力される。また、受信機２で分離されたHS-SCCHは、HS-SCCH復調処理部３及びHS-SCCH復号処理部４にて復調，復号処理を受け、受信機２で分離されたHS-PDSCHは、HS-PDSCH復調処理部５及びHS-PDSCH復号処理部６にて復調，復号処理を受け、HS-PDSCH CRC演算部１０にて、ＣＲＣ演算されてエラーチェックされる。【００５５】
その結果、エラーの無い（ＣＲＣ演算結果がＯＫである）復号データは、下りのレイヤ２の受信データとして下りＬ２データ処理部１１に入力されて、所要のＬ２のデータ処理を施される。また、上記ＣＲＣ演算結果は、スケジューラ１８に入力され、ＣＲＣ演算結果がＯＫであればＡＣＫが、ＮＧであればＮＡＣＫがスケジューリングされて、HS-DPCCH符号化処理部１９，HS-DPCCH変調処理部２０及び送信機２５を経由することにより、符号化処理、変調処理及び無線送信処理を施されて、HS-DPCCHによりＢＳ３０へ通知される。【００５６】
また、受信機２で分離されたE-HICHは、E-HICH復調処理部７にて、チャネル推定値を用いてチャネル補償された上で復調され、さらに、E-HICH復号処理部８にて復号され、E-DCH通信レート測定部１６に入力される。
ここで、E-DCH通信レート測定部１６により、E-DCHの通信レートが測定（監視）され、その測定（監視）結果が、ＣＱＩ制御部１７に入力される。【００５７】
そして、ＣＱＩ制御部１７は、前記E-DCHの通信レート監視結果と前記ＣＱＩ報告値とに基づいて、ＣＱＩ制御値を算出する。このＣＱＩ制御値は、スケジューラ１８，HS-DPCCH符号化処理部１９，HS-DPCCH変調処理部２０及び送信機２５を経由してＢＳ３０へと送信される。なお、ＵＥ１の他の各部の動作については、基本的に既述のＵＥ２００と同様である。【００５８】
一方、ＢＳ３０では、ＵＥ１から受信したＣＱＩ制御値に基づいて、下りデータの伝送ブロックサイズ及び下り伝送フォーマットを決定するので、本例のように、前記ＣＱＩ制御値に、ＣＱＩ報告値算出部９で算出されるＣＱＩ報告値よりも低い値を設定することで、下り方向の通信レート（HS-PDSCHの通信レート）を低下制御することを可能としている。【００５９】
即ち、ＵＥ１が、ＢＳ３０への上りデータチャネルであるE-DCHの通信レートを監視し、この監視結果に応じて、ＢＳ３０へ報告するＣＱＩ制御値を、前記ＢＳ３０へ報告すべきＣＱＩ報告値よりも低くなるように制御することにより、下りデータチャネルであるHS-PDSCHの通信レートの低下制御をＢＳ３０へ要求して低下させることが可能となる。
これにより、E-DCHの通信レートとHS-PDSCHの通信レートとのレート差を抑制し、HS-PDSCHにて受信した下りデータのバッファ処理がオーバーフローすることを防ぐことができ、さらに、無線通信システム全体のスループットを向上させることが可能となる。【００６０】
〔Ｂ〕第１変形例の説明
上述した実施形態では、E-DCHの通信レートの測定結果に応じてＣＱＩ値を制御する態様について説明したが、下りＬ２データ処理部１１でのＬ２データ処理状況を監視して、その監視結果とE-DCHの通信レートの測定結果とに基づいて、上述したＣＱＩ制御を行なうようにしてもよい。本変形例では、その態様について、図２を用いて説明する。【００６１】
図２は上述した一実施形態の第１変形例に係る無線端末（ＵＥ）の要部の構成を示すブロック図である。
即ち、図２に示すＵＥ１ａは、図１に示したＵＥ１と同様に、例えば、受信機２，HS-SCCH復調処理部３，HS-SCCH復号処理部４，HS-PDSCH復調処理部５，HS-PDSCH復号処理部６，E-HICH復調処理部７，E-HICH復号処理部８，ＣＱＩ報告値算出部９，HS-PDSCH CRC演算部１０，下りレイヤ２（Ｌ２）データ処理部１１，レイヤ２（Ｌ２）データバッファ処理部１２，バッファ１３，上りレイヤ２（Ｌ２）データ処理部１４，E-DCH再送制御処理部１５，E-DCH通信レート測定部１６，ＣＱＩ制御部１７ａ，ＣＱＩ／ＡＣＫ／ＮＡＣＫスケジューリング処理部１８，HS-DPCCH符号化処理部１９，HS-DPCCH変調処理部２０，上りスケジューリング要求処理部２１，E-DCH符号化処理部２２，E-DCH変調処理部２３，下り受信タイミング監視／上り送信タイミング管理部２４及び送信機２５をそなえて構成されるが、これらに加えてＬ２データ処理状況監視部２６をそなえて構成され、図１に示したＵＥ１とは、ＣＱＩ制御部１７ａが、Ｌ２データ処理状況監視部２６での監視結果を加味してＣＱＩ制御を行なう点で異なる。【００６２】
ここで、Ｌ２データ処理状況監視部（データ処理状況監視部）２６は、下りＬ２データ処理部１１でのＬ２データ（つまり、下りデータチャネルであるHS-PDSCHの受信データ）の処理状況、例えば下りＬ２データの圧縮が必要な場合の圧縮処理の進行状況などを監視するものである。
そして、本例のＣＱＩ制御部１７ａは、例えば、下りＬ２データ処理部１１でのＬ２データ処理の処理状況の監視結果に基づき、下りＬ２データ処理部１１がＬ２データを処理しきれないと判断できる場合に、前記実施形態と同様のＣＱＩ低下制御を実施する一方、それ以外の場合は、ＣＱＩ報告値算出部９で算出されたＣＱＩ報告値をそのままＢＳ３０へ報告するように制御する機能を具備している。【００６３】
つまり、当該ＣＱＩ制御部１７ａ及びＬ２データ処理状況監視部２６は、E-DCH通信レート測定部１６でのE-DCH通信レートの監視結果と、Ｌ２データ処理状況監視部２６でのデータ処理状況の監視結果とに基づいて、ＢＳ３０へ報告するＣＱＩ値を低下制御する受信品質情報制御手段として機能する。
上述のように構成された本変形例のＵＥ１ａでは、E-DCHの通信レート測定部１６での測定結果（ＢＳ３０への上りデータチャネルであるE-DCHの通信レート）と、Ｌ２データ処理状況監視部２６での監視結果（下りＬ２データの処理状況）とに基づいて、下りＬ２データが処理しきれないと判断される場合に、ＢＳ３０へ報告するＣＱＩ値を本来ＢＳ３０へ報告すべきＣＱＩ報告値以下となるように低下制御し、それ以外の場合はＣＱＩ報告値算出部９で算出されたＣＱＩ報告値をそのままＢＳ３０へ送信するように選択的な制御を行なうことができる。なお、本例のＵＥ１ａの他の各部の詳細な動作については、基本的に既述のＵＥ１と同様である。【００６４】
したがって、ＣＱＩ制御部１７ａによるＣＱＩ制御動作をより詳細に設定することができ、効率的かつ確実に、E-DCHの通信レートとHS-PDSCHの通信レートとの通信レート差に起因して、HS-PDSCHにて受信した下りデータのバッファ処理がオーバーフローすることを防ぐことができ、ＢＳ３０との正常な通信を維持して無線通信システム全体のスループットを向上させることが可能となる。【００６５】
〔Ｃ〕第２変形例の説明
上述した第１変形例では、下りＬ２データ処理部１１でのＬ２データ処理状況を監視して、その監視結果とE-DCHの通信レートの測定結果とに基づいて、ＣＱＩ値を制御する態様について説明したが、Ｌ２データバッファ処理部１２でのバッファ処理状況を監視して、その監視結果に基づいて、上述したＣＱＩ制御を行なうようにしてもよい。本変形例では、その態様について、図３を用いて説明する。【００６６】
図３は上述した一実施形態の第２変形例に係る無線端末（ＵＥ）の要部の構成を示すブロック図である。
即ち、図３に示すＵＥ１ｂは、図１に示したＵＥ１と同様に、例えば、受信機２，HS-SCCH復調処理部３，HS-SCCH復号処理部４，HS-PDSCH復調処理部５，HS-PDSCH復号処理部６，E-HICH復調処理部７，E-HICH復号処理部８，ＣＱＩ報告値算出部９，HS-PDSCH CRC演算部１０，下りレイヤ２（Ｌ２）データ処理部１１，レイヤ２（Ｌ２）データバッファ処理部１２，バッファ１３，上りレイヤ２（Ｌ２）データ処理部１４，E-DCH再送制御処理部１５，E-DCH通信レート測定部１６，ＣＱＩ制御部１７ｂ，ＣＱＩ／ＡＣＫ／ＮＡＣＫスケジューリング処理部１８，HS-DPCCH符号化処理部１９，HS-DPCCH変調処理部２０，上りスケジューリング要求処理部２１，E-DCH符号化処理部２２，E-DCH変調処理部２３，下り受信タイミング監視／上り送信タイミング管理部２４及び送信機２５をそなえて構成されるが、これらに加えてＬ２データバッファ処理監視部２７をそなえて構成され、図１に示したＵＥ１とは、ＣＱＩ制御部１７ｂが、Ｌ２データバッファ処理監視部２７での監視結果を加味してＣＱＩ制御を行なう点で異なる。【００６７】
ここで、Ｌ２データバッファ処理監視部（データ蓄積状況監視部）２７は、Ｌ２データバッファ処理部１２でのＬ２データ（つまり、下りデータチャネルであるHS-PDSCHの受信データ）のバッファ処理状況、例えばバッファ１３のバッファ使用状況などを監視するものである。
そして、本例のＣＱＩ制御部１７ｂは、例えば、Ｌ２データバッファ処理部１２でのＬ２データのバッファ処理状況の監視結果に基づき、Ｌ２データバッファ処理部１２がＬ２データを処理しきれないと判断できる場合に、前記実施形態と同様のＣＱＩ低下制御を実施する一方、それ以外の場合は、ＣＱＩ報告値算出部９で算出されたＣＱＩ報告値をそのままＢＳ３０へ報告するように制御する機能を具備している。【００６８】
つまり、当該ＣＱＩ制御部１７ｂ及びＬ２データバッファ処理監視部２７は、E-DCH通信レート測定部１６でのE-DCH通信レートの監視結果と、Ｌ２データバッファ処理監視部２７でのバッファ処理状況の監視結果とに基づいて、ＢＳ３０へ報告するＣＱＩ値を低下制御する受信品質情報制御手段として機能する。
上述のように構成された本変形例のＵＥ１ｂでは、E-DCHの通信レート測定部１６での測定結果（ＢＳ３０への上りデータチャネルであるE-DCHの通信レート）と、Ｌ２データバッファ処理監視部２７での監視結果（下りＬ２データのバッファ処理状況）とに基づいて、下りＬ２データが処理しきれないと判断される場合に、ＢＳ３０へ報告するＣＱＩ値を本来ＢＳ３０へ報告すべきＣＱＩ報告値以下となるように低下制御し、それ以外の場合はＣＱＩ報告値算出部９で算出されたＣＱＩ報告値をそのままＢＳ３０へ送信するように選択的な制御を行なうことができる。なお、本例のＵＥ１ｂの他の各部の詳細な動作については、基本的に既述のＵＥ１と同様である。【００６９】
したがって、ＣＱＩ制御部１７ｂによるＣＱＩ制御動作をより詳細に設定することができ、効率的かつ確実に、E-DCHの通信レートとHS-PDSCHの通信レートとの通信レート差に起因して、HS-PDSCHにて受信した下りデータのバッファ処理がオーバーフローすることを確実に防ぐことができ、ＢＳ３０との正常な通信を維持して無線通信システム全体のスループットを向上させることが可能となる。【００７０】
以上、本発明の一実施形態及び各変形例について詳細に説明したが、本発明は上記の一実施形態及び変形例に限定されるものではなく、本発明の趣旨を逸脱しない範囲において任意に変形して実施することができる。
例えば、ＵＥに、E-DCH通信レート測定部１６に加えて、Ｌ２データ処理状況監視部２６とＬ２データバッファ処理監視部２７とを組み合わせてそなえるようにしてもよく、このようにすれば、さらに詳細にＣＱＩ制御部の制御動作を設定することが可能となり、より効率的かつ確実にＵＥにおけるバッファ処理がオーバーフローすることを防いでＢＳとの正常な通信を維持することが可能となる。
【産業上の利用可能性】
【００７１】
以上詳述したように、本発明によれば、ＵＥは、上りデータチャネルの送信レートに応じて、算出した受信品質情報（本来、ＢＳへ報告すべき受信品質情報）を低下制御するので、ＢＳに下りデータチャネルの送信レートを下げさせることができる。これにより、上りと下りのデータチャネルの通信レートの相違をＵＥにおいて吸収しきれずに正常な通信を継続できなくなることを防ぐことができ、結果として、無線通信システム全体のスループットを向上させることができる。したがって、無線通信技術分野、特に、受信品質をＢＳに報告するような移動無線通信技術分野に極めて有用と考えられる。
【図１】
2008111144.tif 000003
【図２】
2008111144.tif 000004
【図３】
2008111144.tif 000005
【図４】
2008111144.tif 000006
【図５】
2008111144.tif 000007
【図６】
2008111144.tif 000008
【図７】
2008111144.tif 000009
【図８】
2008111144.tif 000010
【図９】
2008111144.tif 000011
【国際調査報告】
2008111144.tif 000012
2008111144.tif 000013